(57)【特許請求の範囲】
【請求項１】
繊維機械の糸の間に杼口を形成するためにプーリ要素（１５）と共に協働するように設けられた可動杼口形成手段（１９）と、固定高さに保持されるように杼口形成手段を選択するために設けられた選択装置（４−９、１２）と、選択されなかったときに杼口形成手段（１９）を上方または下方へ移動させるように設けられた持ち上げ手段（２２）とを備えた、少なくとも１つの杼口形成機構を有し、それにより、分離するユニットとして製造された取り外し可能なモジュール（１）が杼口形成機構の一部を含んでいる繊維機械用杼口形成装置において、
選択モジュール（１）が選択装置（４−９、１２）を備え、プーリモジュール（１３）がプーリ要素（１５）および杼口形成手段（１９）を備え、各モジュール（１３）、（１５）が分離するユニットとして製造され、かつ杼口形成装置の一部に取り外し可能に取り付けられていることを特徴とする繊維機械用杼口形成装置。
【請求項２】
選択モジュール（１）がプーリモジュール（１３）に取り外し可能に取り付けられていることを特徴とする請求項１に記載の繊維機械用杼口形成装置。
【請求項３】
杼口形成装置が、同一の選択モジュール（１）に設けられたそれぞれの選択装置（４−９、１２）を有する、少なくとも２つの杼口形成機構を備えていることを特徴とする請求項１または２に記載の繊維機械用杼口形成装置。
【請求項４】
プーリモジュール（１３）が、上記少なくとも２つの杼口形成機構（４−９、１２）と共に協働するすべてのプーリ要素（１５）を備えていることを特徴とする請求項３に記載の繊維機械用杼口形成装置。
【請求項５】
プーリモジュール（１３）が杼口形成手段（１９）のための少なくとも１つのガイド手段（１８）を備えていることを特徴とする請求項１ないし４のいずれかに記載の繊維機械用杼口形成装置。
【請求項６】
杼口形成装置が、持ち上げ装置（２２）により上方または下方へ反対方向に移動可能なそれぞれの杼口形成手段（１９）を有する一対の協働する杼口形成機構を備え、これら杼口形成手段（１９）はプーリ要素（１５）の第１のプーリホイール（２４）の周囲を回るプーリコード（２７）によって互いに連結されており、杼口形成コード（２９）は杼口形成装置の一部（１６）に取り付けられ、かつ引き続いて上記プーリ要素（１５）の第２のプーリホイール（２５）の周囲を回って繊維機械の糸の間に杼口を形成するように設けられていることを特徴とする請求項１ないし５のいずれかに記載の繊維機械用杼口形成装置。
【請求項７】
プーリ要素（１５）がプーリモジュール（１３）内に移動可能に設けられ、杼口形成コード（２９）がプーリモジュール（１３）の一部（１６）に取り付けられていることを特徴とする請求項６に記載の繊維機械用杼口形成装置。
【請求項８】
杼口形成装置が、持ち上げ装置（２２）により上方または下方へ反対方向に移動可能なそれぞれの第１の杼口形成手段（１９）を有する第１の対の杼口形成機構を備えとともに、持ち上げ装置（２２）により上方または下方へ反対方向に移動可能なそれぞれの第２の杼口形成手段（１９）を有する第２の対の杼口形成機構を備え、第１の杼口形成手段（１９）は第１のプーリ要素（１５）の第１のプーリホイール（２４）の周囲を回る第１のプーリコード（２７）によって互いに連結され、第２の杼口形成手段（１９）は第２のプーリ要素（１５）の第１のプーリホイール（２４）の周囲を回る第２のプーリコード（２７）によって互いに連結されており、杼口形成コード（２９）は杼口形成装置の一部（１６）に取り付けられ、かつ引き続き第１のプーリ要素（１５）の第２のプーリホイール（２５）の周囲を回って、それから杼口形成装置の一部（１６）に取り付けられたリバーシングホイール（３０）の周囲を回って、その後第２のプーリ要素（１５）の第２のプーリホイール（２５）の周囲を回って、そして繊維機械の糸の間に杼口を形成するために設けられていることを特徴とする請求項１ないし５のいずれかに記載の繊維機械用杼口形成装置。
【請求項９】
第１および第２のプーリ要素（１５）が同一または異なるプーリモジュール（１３）の内部に移動可能に設けられ、杼口形成コード（２９）およびリバーシングホイール（３０）が第１のプーリ要素（１５）を備えたプーリモジュール（１３）の一部（１６）に取り付けられていることを特徴とする請求項８に記載の繊維機械用杼口形成装置。
【請求項１０】
各選択装置が、杼口形成手段（１９）を固定高さに保持するために保持位置へもっていかれることができる可動保持要素（５）と、杼口形成手段（１９）を選択するか、または選択しないようにするために、保持要素（５）を保持位置または非保持位置へもっていくことができるアクチュエータ（９）と、を備えたことを特徴とする請求項１ないし９のいずれかに記載の繊維機械用杼口形成装置。
【請求項１１】
プーリ要素（１５）がプーリモジュール（１３）の２つの壁（１４）の間に移動可能に配置されていることを特徴とする請求項１ないし１０のいずれかに記載の繊維機械用杼口形成装置。
【請求項１２】
プーリ要素（１５）がプーリモジュール（１３）内に移動可能に設けられ、プーリモジュール（１３）が上方へ突出した２つのアーム（１７）を備え、各アーム（１７）はプーリ要素（１５）と共に協働するそれぞれの杼口形成手段（１９）のためのガイドレール（１８）を備えており、２つの選択装置（４−９、１２）を備えた選択モジュール（１）は、各選択装置（４−９、１２）がガイドレール（１８）内を移動するそれぞれの杼口形成手段（１９）を選択できるように、アーム（１７）の間に配置されていることを特徴とする請求項１ないし１１のいずれかに記載の繊維機械用杼口形成装置。
【発明の詳細な説明】
【０００１】
【発明の属する技術分野】
本発明は、繊維機械の糸の間に杼口を形成するためにプーリ要素と共に協働するように設けられた可動杼口形成手段と、固定高さに保持するために杼口形成手段を選択するように設けられた選択装置と、選択されなかったときに杼口形成手段を上方または下方へ移動させるように設けられた持ち上げ手段とを備えた、少なくとも１つの杼口形成機構を有し、それにより、分離するユニットとして製造された取り外し可能なモジュールが杼口形成機構の一部を含んでいる繊維機械用杼口形成装置に関する。
【０００２】
【従来の技術および発明が解決しようとする課題】
このような織機用杼口形成装置は、ヨーロッパ特許第０２１４０７５号において説明されている。この公知の装置では、複数の杼口形成機構の可動杼口形成手段、選択装置、およびプーリ装置が同一のモジュール内に寄せ集められているとともに、同一の杼口形成機構の部材が２つの分離壁の間のそれぞれのケース内に配置されている。このモジュールは、修理やメンテナンス作業を行うために杼口形成装置から取り外すことができ、別の（同一の）モジュールと取り替えることができる。
【０００３】
しかしながら、この公知の装置には次のような不都合がある。すなわち、１つまたは複数の選択装置を修理または取り替えなければならないとき、あるいは、メンテナンスのために取り外さなければならないとき、モジュールの取り外しの前に、モジュール内に設けられたプーリ装置と協働するハーネスコードを最初にはずさなければならない。そして、モジュール交換後にハーネスコードを再び引っかける必要がある。ハーネスコードの取り外しおよび再度の引っかけは、面倒で、かつ時間のかかる作業であった。
【０００４】
１つまたは複数のプーリコードの破断、摩耗、破損等のためにモジュールが取り替えられたとき、同じモジュールに設けられた使用可能な選択装置までもが取り替えられてしまうことになる。
【０００５】
本発明の目的は、上記不都合がない繊維機械用杼口形成装置を提供することにある。
【０００６】
【課題を解決するための手段】
この目的は、この説明の第１パラグラフ（従来の技術）で述べた特徴を有する杼口形成装置を提供することにより達成され、それにより、選択モジュールは選択装置を備え、プーリモジュールはプーリ要素と杼口形成手段を備え、各モジュールは分離するユニットとして製造されており、杼口形成装置の一部に取り外し可能に取り付けられている。
【０００７】
修理、交換、メンテナンス等のために選択装置を取り外さなければならないとき、プーリ要素を杼口形成装置上の位置に残したままで、選択モジュールを取り外すことができる。その結果、プーリ要素と協働するハーネスコードをはずす必要がない。よって、選択装置の交換を迅速に、かつ問題なく行うことができる。
【０００８】
プーリ要素と協働する１つまたは複数のプーリコードの破断、摩耗、破損等の場合に、選択装置を迅速かつ容易に取り外すことができるとともに、プーリコードの交換後に再び元に戻すことができるという点において特に有利である。さらに、使用可能な選択装置が取り替えられてしまうこともない。
【０００９】
プーリ要素と協働するプーリコードを取り替えなければならないとき、プーリモジュールもまた別のプーリモジュールと交換することができる。プーリモジュールの交換は、プーリコードの交換に比べて非常に簡単に行うことができる。
【００１０】
この杼口形成装置の好適な実施形態において、選択モジュールはプーリモジュールに取り外し可能に取り付けられている。これにより、両モジュールは共に取り外すことができる。さらに、このことによって、同一の杼口形成機構の選択モジュールとプーリ装置は、簡単な方法で一方の上に他方を配置することができる。
【００１１】
好適な実施形態によれば、杼口形成装置は、同一の選択モジュール内に設けられたそれぞれの選択装置を有する少なくとも２つの杼口形成機構を備えている。
【００１２】
協働する２つの杼口形成機構の選択装置は、例えば、同一の選択モジュール内において一方の後ろに他方を配置することができ、これにより選択モジュールを限られた幅で製造することができる。さらに、このことによって、複数の選択装置の取り外しと再設置、または交換を、各選択装置が別々の選択モジュール内に設けられている場合に比べて、より速く行うことができる。
【００１３】
別の好適な実施形態によれば、プーリモジュールは上記少なくとも２つの杼口形成機構（選択装置は同一の選択モジュールに設けられている）と協働するすべてのプーリ要素を備えている
【００１４】
このような配置は特にコンパクトに製造できるとともに、同一の選択モジュールの各選択装置は同一のプーリモジュールの上に設けることができる。
【００１５】
特定の実施形態では、上記プーリモジュールが杼口形成手段のための少なくとも１つのガイド手段を備えている。プーリモジュールは、プーリモジュール内に設けられたプーリ要素と共に協働する各杼口形成手段のためのカイド手段を備えているのが好ましい。
【００１６】
各ガイド手段は、プーリ要素の上の（上方移動または下方移動する）杼口形成手段をガイドするために設けられるのが好ましい。また、プーリ要素の上には、選択装置が、ガイド手段内を移動する間に杼口形成手段を選択するように設けられている。
【００１７】
杼口形成装置は、公知の方法でそれに連結された繊維機械の糸の２位置を可能にするために、請求項６に記載のように、協働する杼口形成機構をもって製造されることができる。
【００１８】
協働する杼口形成機構の選択装置は、同一の選択モジュール内に設けられるのが好ましい。プーリ要素はまた、分離するユニットとして製造されたプーリモジュール内に移動可能に設けられることができ、杼口形成コードはプーリモジュールの一部に取り付けられる。
【００１９】
最も好適な実施形態によれば、杼口形成装置は協働する複数対の杼口形成機構を備えており、その選択装置は同一の選択モジュール内に設けられるとともに、それらと協働するプーリ要素は同一のプーリモジュール内に設けられている。
【００２０】
杼口形成装置もまた、公知の方法でそれに連結された繊維機械の糸の３位置を得るために、請求項８に記載のように、協働する杼口形成機構をもって製造されることができる。
【００２１】
第１および第２の対の杼口形成機構の選択装置は、同一の選択モジュール内に設けられているのが好ましい。さらに、第１および第２のプーリ要素もまた、分離するユニットとして製造された同一または異なるプーリモジュール内に移動可能に設けられることができるとともに、杼口形成コードとプーリホイールは第１のプーリ要素を備えた一対のプーリモジュールに取り付けられている。
【００２２】
最も好適な実施形態によれば、杼口形成装置は複数の第１および第２の対の協働する杼口形成機構を備えており、その選択装置は同一の選択モジュール内に設けられるとともに、それらと協働するプーリ要素は同一のプーリモジュール内に設けられている。
【００２３】
各選択装置は、杼口形成手段を固定高さに保持するために保持位置へもっていかれることができる可動保持要素と、杼口形成手段を選択するか、あるいは選択しないために保持要素を保持位置あるいは非保持位置へもっていくことができるアクチュエータとをもって製造されることができる。
【００２４】
好都合な実施形態によれば、プーリ要素はプーリモジュールの２つの壁の間に移動可能に配置されている。このことにより、プーリ要素の横方向の移動および回転移動が防止される。
【００２５】
本発明による杼口形成装置の特定の実施形態では、プーリ要素がプーリモジュール内に設けられるとともに、プーリモジュールは上方へ突出する２つのアームを備えている。各アームは、プーリ要素と共に協働するそれぞれの杼口形成手段のためのガイドレールを備えるとともに、２つの選択装置を備えた選択モジュールがアームの間に配置されている。これにより、各選択装置はガイドレール内を移動するそれぞれの杼口形成手段を選択することができる。
【００２６】
本発明は、２つの好適な実施形態の以下の詳細な説明においてさらに説明されている。
【００２７】
【発明の実施の形態】
以下、添付図面を参照して本発明の実施の形態について説明する。本発明の２位置開口ジャガード機用杼口形成装置（図１参照）および３位置開口ジャガード機用杼口形成装置（図２参照）は、内部空間をそれぞれ囲む正面壁（２）、後方壁（２）、２つの側壁（２′）、および底部壁（２″）を有する選択モジュール（１）を備えている。各図では、前方の側壁（２′）が取り除かれている。
【００２８】
壁（２、２′、２″）で囲まれた内部空間には、一方の後ろに他方が配置された複数対の選択装置（４、５、６、７、８、９、１２）が互いに隣接して配置されている。互いに隣接して配置されたそれらの対は、選択モジュール（１）の２つの側壁（２′）の間に延びる２列の選択装置を形成している。各図では、一方の後ろに他方が配置された一対の選択装置（４、５、６、７、８、９、１２）が示されている。
【００２９】
正面および後方の壁（２）には、開口部（３）が各選択装置（４−９、１２）に対向して設けてある。各選択装置（４−９、１２）は、スピンドル（４）を中心に回転可能に取り付けられた保持要素（５）を備えており、この保持要素（５）はスピンドル（４）から上方に延びる延長アームと上部折曲部（６）を有している。一対の選択装置（４−９、１２）の各保持要素（５）は、一方の後ろに他方が配置されている。
【００３０】
各対の一方の保持要素（５）の折曲部（６）は、正面壁（２）の開口部（３）に対向し、かつその開口部（３）に向かって延びている。各対の他方の保持要素（５）の折曲部（６）は、後方壁（２）の開口部（３）に対向し、かつその開口部（３）に向かって延びている。
【００３１】
保持要素（５）は、それらが保持位置にあるところまで回転でき、それにより折曲部（６）が各開口部（３）の下部縁部（７）に当接する（図１において左側に描かれる保持要素（５）が保持位置にある。）。この縁部は保持要素（５）を支持するための止め部を形成する。保持要素（５）はまた、それらが非保持位置にあるところまで回転でき、それにより、それらはモジュール（１）の内部空間の中央に配置された各止め要素（８）によってそれぞれ止められる（図１において右側に描かれる保持要素（５）が非保持位置にある。）。
【００３２】
バイモルフ圧電曲げ要素（９）が各保持要素（５）の下に配置されている。曲げ要素（９）はその下部先端がモジュール（１）の下部に設けられた要素（１０）内においてしっかりと締め付けられており、その要素（１０）は正面壁（２）と後方壁（２）とを連結している。
【００３３】
保持要素（５）はまた、上記延長アームに関してスピンドル（４）の反対側に延びるショートアーム（１１）を有している。各ショートアーム（１１）には、Ｕ字状溝が設けられ、その開口側が下方に向いている。
【００３４】
曲げ要素（９）は要素（１０）から上方へ延び、その上部先端が各保持要素（５）のショートアーム（１１）のＵ字状溝内にある。
【００３５】
曲げ要素（９）は、電気導体（１２）を介して電圧を印加することで第１の曲げを達成し、これによりそれらの上部先端が保持要素（５）を保持位置にもっていく。これは図１において左側に描かれる曲げ要素（９）の場合である。曲げ要素（９）は電圧の極性を逆にすることで第２の曲げを達成し、これによりそれらの上部端部が保持要素（５）を非保持位置にもっていく。これは、図１において右側に描かれる曲げ要素（９）の場合である。
【００３６】
杼口形成装置はまた、複数の縦方向壁（１４）を有するプーリモジュール（１３）を備えている。これらの壁（１４）は均等な間隔をもって隣接して設けられ、かつ、互いに連結されており、これによりそれらは分離するユニットを形成する。このユニットは杼口形成装置の一部（図示せず）に取り外し可能に取り付けられている。
【００３７】
互いに隣接して配置された各対の壁（１４）の間の２位置開口ジャガード機用杼口形成装置（図１）では、プーリ要素（１５）が縦方向へ移動可能に配置されている。各図では、プーリモジュール（１３）の正面の壁（１４）が取り除かれている。
【００３８】
壁（１４）の間に配置されたプーリ要素（１５）の数は、選択モジュール（１）内に隣接して設けた選択装置（４−９、１２）の対の数と同一である。各プーリ要素（１５）は、上下２つのプーリホイール（２４）、（２５）が回転可能に取り付けられている本体（２３）を有している。プーリ要素（１５）は、各プーリホイール（２４）、（２５）が壁（１４）と平行に延びる縦方向操作平面内にあるように配置されている。
【００３９】
各プーリ要素（１５）のために壁（１４）は、その縦方向の縁部の延長部における最上部に２つの延長アーム（１７）を備えて設けられている。このような壁（１４）の上部縁部とアーム（１７）はさらに、壁（１４）のＵ字状上部部分を形成している。そのために、選択モジュール（１）に設けられた選択装置（４−９、１２）と同じだけアーム（１７）が存在する。選択モジュール（１）はそれぞれの壁（１４）のＵ字状部分の内側に配置されている。
【００４０】
プーリモジュール（１３）はさらに、壁（１４）の下に延び、かつ壁（１４）の一部をなす底部部材（１６）備えている。各アーム（１７）はそれぞれのフック（１９）のための縦方向のガイドレール（１８）を備えるとともに、選択モジュール（１）の正面および後方の壁（２）のそれぞれの開口部（３）の上まで延びている。
【００４１】
各ガイドレール（１８）には、縦方向へ移動可能なフック（１９）が設けられ、それにより各フック（１９）が選択モジュール（１）内のそれぞれの選択装置（４−９、１２）によって選択可能になっている。
【００４２】
それぞれのアーム（１７）および壁（１４）によってガイドされる２つのフック（１９）は、一方の後ろに他方が配置されたそれぞれの選択装置（４−９、１２）によって選択されることができる。このような２つのフック（１９）を以下において協働するフック（１９）という。
【００４３】
各フック（１９）はその背部に突出ウイング（２０）を、また、前部の最上部に突出部（２１）を有している。協働するフックは、互いに向かう方向へ向けられたそれぞれの前部でもってカイドレール（１８）内を移動可能に配置されている。組合わされたモジュール（１）、（１３）の両側面には、駆動装置（図示せず）によって反対方向へ上方移動または下方移動することができる２つのブレード（２２）が設けられている。
【００４４】
さらに、各ブレード（２２）の水平上部縁部は、それぞれのフック（１９）の突出ウイング（２０）の下部縁部の下にかみ合うことができる。その結果、協働するフック（１９）はブレード（２２）によって上方または下方に反対方向へ移動することができる。それらの移動の上部死点では、フック（１９）の突出部（２１）が保持要素（５）の上にもって来られる。
【００４５】
保持要素（５）が保持位置にあるとき、それの折曲部（６）はそれぞれのフック（１９）の突出部（２１）の移動通路内にある。ブレード（２２）がその上方移動の端部にあるときごとに、ブレード（２２）と協働する各フック（１９）のために、ブレード（２２）の次の移動サイクルの間、フック（１９）が固定高さに保持されるべきか、あるいは、ブレード（２２）によって係合されるべきかどうかが決められる。
【００４６】
フック（１９）は毎回、保持要素（５）の上へその突出部（２１）と共にもって来られる。そして、保持要素（５）が保持位置へもって来られているとき、突出部（２１）は次の下方移動によって、保持要素（５）の折曲部（６）の最上部の上に達する。その結果、フック（１９）は保持要素（５）により支持されて、ブレード（２２）の次の移動サイクルの間、固定高さに保持されることになる。
【００４７】
ブレード（２２）の次の上方移動の端部で、ブレード（２２）は保持要素（５）によって支持されたフック（１９）を上方へ保持要素（５）の上までもっていく。保持要素（５）が保持位置に保持されているとき、フック（１９）は上述したように次の移動サイクルの間、保持要素（５）の上に保持されることになる。他方、保持要素（５）が非保持位置へもって来られているとき、フック（１９）はブレード（２２）の後続の移動サイクルのためにブレード（２２）と係合し、それにより最初は下方へ移動し、次に上方へ移動する。
【００４８】
各プーリ要素（１５）はプーリモジュール（１３）の２つの壁（１４）の間に配置されており、本体（２３）はそれらの壁（１４）の一方に設けた縦方向に延びる溝（２６）内をスライド可能になっている。
【００４９】
一方の後ろに他方が配置された互いに協働する各対のフック（１９）は、上部プーリコード（２７）によって連結されている。上部プーリコード（２７）は、それらフックの下に配置されたプーリ要素（１５）の上部プーリホイール（２４）の周囲を回っており、これにより、フック（１９）に取り付けられたプーリコード（２７）がプーリ要素（１５）を移動させる。それらフック（１９）の反対方向への上方移動または下方移動の間、プーリ要素（１５）は第１の高さに保持される。フック（１９）の一方が上部位置に保持されるとき、プーリ要素（１５）は他方のフック（１９）によってもち上げられるために第２の高さへもって行かれる。
【００５０】
プーリモジュール（１３）の底部部材（１６）上であって各プーリ要素（１５）の下には取付手段（２８）が設けてあり、これに下部プーリコード（２９）の一端が取り付けられている。この下部プーリコード（２９）はプーリ要素（１５）の下部プーリホイール（２５）の上を回って下方に延び、その他端部が繊維機械の糸の間に杼口を形成するために設けられている。
【００５１】
このことにより、プーリ要素（１５）は２つの異なった高さをとることができ、これは下部プーリコード（２９）の吊り下げ先端についても同様である。
【００５２】
上記で説明した杼口形成装置をジャガード機に設けることにより、２位置開口ジャガード機が得られる。このようなジャガード機は、縦糸の間に杼口を形成するために、例えば織機に使用可能である。縦糸は、杼口形成装置の下部プーリコード（２９）の吊り下げ先端に吊るされたハーネスコードによって持ち上げることができる。
【００５３】
３位置開口ジャガード機用の杼口形成装置（図２）では、各ケース内の２つの壁（１４）の間に２つのプーリ要素（１５）が上述した方法により縦方向へ移動可能に配置されている点、壁（１４）のそれぞれの対の間であって底部部材（１６）の上にリバーシングホイール（３０）が取り付けられている点、および各下部プーリコード（２９）が別の経路を有する点において、プーリモジュール（１３）が上述のプーリモジュール（１３）とは区別される。
【００５４】
各プーリ要素（１５）は、上述した方法により、それぞれの上部プーリコード（２７）によって、２つの協働するフック（１９）と共に働く。
【００５５】
各リバーシングホイール（３０）は、プーリモジュール（１３）の底部部材（１６）に回転可能に取り付けられたアーム（３１）に回転できるように取り付けられている。アーム（３１）は、モジュール（１３）の壁（１４）と平行に延びる平面（図面の平面）内を回転することができる。
【００５６】
壁（１４）の各対の間のプーリ要素（１５）は、それぞれの縦方向操作平面内を移動可能に配置されている。各プーリホイール（３０）は、これら操作平面の間に斜めに配置されるのが好ましい。
【００５７】
壁（１４）の各対の間には下部プーリコード（２９）が設けてあり、その一端は第１のプーリ要素（１５）の下でプーリモジュール（１３）の底部部材（１６）に取り付けられ、そこからこの第１のプーリ要素（１５）の下部プーリホイール（２５）の周囲を回って、それから同じ壁（１４）の間に配置されたリバーシングホイール（３０）の周囲を回って、次に同じ壁（１４）の間に設けられた第２のプーリ要素（１５）の下部プーリホイール（２５）の周囲を回って、最後に下方に延びており、その他端が繊維機械の糸の間に杼口を形成するために設けられている。
【００５８】
第１および第２のプーリ要素（１５）と共に働く協働するフック（１９）によって、下部プーリコード（２９）の吊り下げ先端がどのようにして３つの異なる高さにもって来られるかは、既に知られている。
【００５９】
４位置開口ジャガード機を得るには、下部プーリコード（２９）の上記一端を可動グリッドに取り付け、それをブレード（２２）の一方と共に上方移動または下方移動させればよい。
【図面の簡単な説明】
【図１】  ２位置開口ジャガード機用杼口形成装置の組み立てられた選択モジュールおよびプーリモジュールの正面側壁を取り除いた側面図である。
【図２】  ３位置開口ジャガード機用杼口形成装置の組み立てられた選択モジュールおよびプーリモジュールの正面側壁を取り除いた側面図である。
【符号の説明】
１…選択モジュール、１３…プーリモジュール、１５…プーリ要素、１９…フック（杼口形成手段）、２２…ブレード（持ち上げ手段）。
【図１】
0003888726.tif 000002
【図２】
0003888726.tif 000003